(57)【特許請求の範囲】
【請求項１】
マンホールの側壁から先端面が露出するケーブル管路内の残置ケーブルを引き抜く引き抜き装置であり、
前記残置ケーブルの先端面に、該残置ケーブルの軸方向に向かってねじ込まれる複数本の連結ねじと、
前記複数本の連結ねじにより前記残置ケーブルの先端面に固定される連結ホルダと、前記連結ホルダに連結される引き抜き装置の引き抜き機本体と、を有し、
前記連結ねじには、ねじ基端面の開口から軸方向へ向かう中空部が設けられると共に、該中空部とねじ外周側面側開口部とを連通する挿通孔が設けられ、連結ねじと残置ケーブルとを連結固定する接着剤が、中空部と挿通孔を通過し、ねじ外周側面開口部から送出されて、前記引き抜き機本体と残置ケーブルとが連結されてなり、
前記引き抜き機本体は、前記連結ホルダと連結される引き抜き杆と、該引き抜き杆と連結される第１引張体と、該第１引張体を把持する第２把持具と、該第２把持具を引っ張る第２引張体と、前記連結ホルダと交換されて前記引き抜き杆の先端に連結される第１把持具と、
を備え、
前記第１引張体は、前記引き抜き杆を介して第１把持具とも連結可能とされ、前記引き抜き杆と共に、前記残置ケーブルの軸方向に、前記引き抜き杆を駆動する第１駆動シリンダとして構成され、
前記第２把持具は、略方形枠体状をなす把持部本体と該把持部本体の上方に設けられた挟持片とを有し、該挟持片が下方へスライドし、該挟持片と該把持部本体とにより前記第１引張体あるいは残置ケーブルの後端部を上下から挟んで把持する構成とされ、
前記第２引張体は、前記残置ケーブルの軸方向に駆動する第２駆動シリンダを有し、前記第２把持具を前記残置ケーブルの軸方向に引っ張る構成とされ、
前記第１把持具は、略方形枠体状に形成された把持部本体と該把持部本体内に挿入される残置ケーブル先端部を上方より押圧して挟みこむ挟持片とにより形成されてなり、
前記残置ケーブルの先端面にねじ込まれた連結ねじ、該連結ねじに連結された連結ホルダ、該連結ホルダに連結された引き抜き杆、該引き抜き杆に連結され、前記第２把持具で把持された第１引張体により残置ケーブル先端部が把持できる程度まで、前記残置ケーブルが引き抜かれた後、前記引き抜き杆から連結ホルダを外して、引き抜き杆先端に前記第１把持具を取り付け、当該引き抜き杆後端に連結された第１引張体は第２把持具での把持状態とされ、
前記第１把持具で前記引き抜かれた残置ケーブル先端部を挟持して前記第１引張体により引っ張ると共に、第２引張体によっても残置ケーブルを挟持した第１引張体を引っ張り可能に構成し、
前記第２把持具から、前記第１把持具が引き抜き杆を介して連結された第１引張体を外し、残置ケーブルを前記第２把持具内に挿通させて把持し、残置ケーブルを引っ張れるストロークまで引っ張った後、第２把持具を拡開して、前記第２引張体の位置を初期の状態に戻し、再び残置ケーブルを把持して引っ張り可能に構成した、
ことを特徴とした残置ケーブル引き抜き装置。
【発明の詳細な説明】
【技術分野】
【０００１】
本発明は、たとえばマンホールに連通する管路内に切断されて放置された残置ケーブルに対し、該残置ケーブルの端面と連結して、管路内に存する残置ケーブルを引き抜く残置ケーブル引き抜き装置に関するものである。
【背景技術】
【０００２】
近年、地下にケーブルより少し径の太い複数の管路が埋設して形成され、この管路中には所定の間隔で地下に垂下するマンホールが設けられている。
【０００３】
該マンホールにはその側壁に前記管路端面が露出した状態で露見しており、該管路端面はいわゆるダクト口となって内部管路と連通している。
【０００４】
そしてケーブルは管路内を挿通して前記管路端面（ダクト口）から一旦マンホール内を通り、再び向かい側の管路端面（ダクト口）を介して内部管路内を挿通し敷設されている。
【０００５】
すなわち、このような構成によりマンホール内においては保守者がケーブルの保守管理、増設等の作業を行うことが可能になっている。
【０００６】
ここで、使用されなくなったケーブルは、前記の管路内から簡単に引き抜ける場合は引き抜いて撤去するが、当該引き抜きが困難な場合にはマンホール内で邪魔にならないように切断され、内部管路内に放置される。
【０００７】
ところで近年、ケーブルの取替えや地下への移行の需要が高まっているが、地面を掘削して新しい管路を敷設する工事はコスト高となる。そこでケーブルが放置されている既設管路の再利用が求められている。
【０００８】
この場合、残置ケーブルの端末が管路端面からマンホール内に長い余長を有する場合は、ケーブル端末をたとえば直接引き抜くことができ、もって容易に残置ケーブルを撤去することができる。
【０００９】
しかし、ケーブル端末の余長は、マンホール自体がスペース的に余裕がないことも相まって、残置ケーブルがダクト口付近や管路側に入り込んで切断されていたり、端末の余長が殆どないことがしばしば生じている。
【００１０】
そして、このような状況にあってもケーブル端末を確実に把持して引き抜くことが必要となっている。
【００１１】
しかして、前記課題を解決するために従来では特開２００４−１４７４７８号公報に記載されたような発明が一般に知られている。
【００１２】
しかしながら、前記の発明ではケーブル端末の余長が殆どないときに、ケーブル端末を引き抜き機に確実に連結して引き抜くことが難しいとの課題があった。
【００１３】
【特許文献１】特開２００４−１４７４７８号公報
【発明の開示】
【発明が解決しようとする課題】
【００１４】
かくして、本発明はかかる課題に対処すべく創案されたものであって、管路端面より残置ケーブル端末の余長が殆ど露出しておらず、もってその部分を掴んで引き抜きが困難なときにおいても、前記残置ケーブル端末と引き抜き機とを確実に連結することができ、もって残置ケーブルを確実に引き抜くことができる残置ケーブル先端面と引き抜き治具との連結構造を提供することを目的とするものである。
【課題を解決するための手段】
【００１５】
本発明による残置ケーブル引き抜き装置は、
マンホールの側壁から先端面が露出するケーブル管路内の残置ケーブルを引き抜く引き抜き装置であり、
前記残置ケーブルの先端面に、該残置ケーブルの軸方向に向かってねじ込まれる複数本の連結ねじと、前記複数本の連結ねじにより前記残置ケーブルの先端面に固定される連結ホルダと、前記連結ホルダに連結される引き抜き装置の引き抜き機本体と、を有し、
前記連結ねじには、ねじ基端面の開口から軸方向へ向かう中空部が設けられると共に、該中空部とねじ外周側面側開口部とを連通する挿通孔が設けられ、連結ねじと残置ケーブルとを連結固定する接着剤が、中空部と挿通孔を通過し、ねじ外周側面開口部から送出されて、前記引き抜き機本体と残置ケーブルとが連結されてなり、
前記引き抜き機本体は、前記連結ホルダと連結される引き抜き杆と、該引き抜き杆と連結される第１引張体と、該第１引張体を把持する第２把持具と、該第２把持具を引っ張る第２引張体と、前記連結ホルダと交換されて前記引き抜き杆の先端に連結される第１把持具と、
を備え、
前記第１引張体は、前記引き抜き杆を介して第１把持具とも連結可能とされ、前記引き抜き杆と共に、前記残置ケーブルの軸方向に、前記引き抜き杆を駆動する第１駆動シリンダとして構成され、
前記第２把持具は、略方形枠体状をなす把持部本体と該把持部本体の上方に設けられた挟持片とを有し、該挟持片が下方へスライドし、該挟持片と該把持部本体とにより前記第１引張体あるいは残置ケーブルの後端部を上下から挟んで把持する構成とされ、
前記第２引張体は、前記残置ケーブルの軸方向に駆動する第２駆動シリンダを有し、前記第２把持具を前記残置ケーブルの軸方向に引っ張る構成とされ、
前記第１把持具は、略方形枠体状に形成された把持部本体と該把持部本体内に挿入される残置ケーブル先端部を上方より押圧して挟みこむ挟持片とにより形成されてなり、
前記残置ケーブルの先端面にねじ込まれた連結ねじ、該連結ねじに連結された連結ホルダ、該連結ホルダに連結された引き抜き杆、該引き抜き杆に連結され、前記第２把持具で把持された第１引張体により残置ケーブル先端部が把持できる程度まで、前記残置ケーブルが引き抜かれた後、前記引き抜き杆から連結ホルダを外して、引き抜き杆先端に前記第１把持具を取り付け、当該引き抜き杆後端に連結された第１引張体は第２把持具での把持状態とされ、
前記第１把持具で前記引き抜かれた残置ケーブル先端部を挟持して前記第１引張体により引っ張ると共に、第２引張体によっても残置ケーブルを挟持した第１引張体を引っ張り可能に構成し、
前記第２把持具から、前記第１把持具が引き抜き杆を介して連結された第１引張体を外し、残置ケーブルを前記第２把持具内に挿通させて把持し、残置ケーブルを引っ張れるストロークまで引っ張った後、第２把持具を拡開して、前記第２引張体の位置を初期の状態に戻し、再び残置ケーブルを把持して引っ張り可能に構成した、
ことを特徴とするものである。
【発明の効果】
【００１６】
本発明によるケーブルの引き抜き装置によれば、管路端面より残置ケーブル端末の余長が殆ど露出しておらず、もってその部分を掴んで引き抜きが困難なときにおいて、当該残置ケーブル端末と引き抜き装置とを迅速、確実に連結することができ、もって管路内部に残置された残置ケーブルを確実にかつ速やかに引き抜くことができるとの優れた効果を奏する。
【発明を実施するための最良の形態】
【００１７】
以下、本発明を実施するための最良の形態を図に基づいて説明する。
【００１８】
図において、符号１はマンホールを示す。該マンホール１は例えば略長方体状の空間を有して形成されており、その空間長手方向に対向する側壁２、２には、地中に埋設された複数個の管路端面３３（ダクト口）が外部側に露見している。 そして内部の管路３内には残置ケーブル４が内設されており、前記複数個の管路端面３３からは、前記残置ケーブル４の先端面のみが露出する状態とされている。
【００１９】
ところで、マンホール１内には前記の残置ケーブル４を引き抜くための引き抜き装置３６が設置される。
【００２０】
ここで、符号５は引き抜き機本体を示す。該引き抜き機本体５は前記マンホール１の側壁２に形成された管路端面３３（ダクト口）から露出する残置ケーブル４の先端部を引き抜く機能を有するものである。
【００２１】
そして、当該引き抜き機本体５の構成の一例を挙げると、該引き抜き機本体５は、前記残置ケーブル４の先端部端面に、該端面から軸方向に向かってねじ込まれる、あるいはたたき込まれる複数本の連結ねじ４０と連結される構成がとられている（図３および図４参照）。
【００２２】
そして、前記複数本の連結ねじ４０、ここでは通常５本の連結ねじ４０によって残置ケーブル４の先端部端面にたとえばキャップ状をなす連結ホルダ４１が被せられて固定される。符号４９は前記連結ホルダ４１を固定するために前記連結ねじ４０の頭部側にねじ込まれるナットを示す（図７参照）。
【００２３】
また前記連結ホルダ４１の上端面側には前記連結ねじ４０の取り付け孔５１とは別に雌ねじ４２が複数個穿設されており、該雌ねじ４２に前記引き抜き機本体５の引き抜き杆４３側ホルダ５０側から接続用のボルトがねじ込まれて連結される。これによって引き抜き機本体５と残置ケーブル４とが連結されるものとなる。
【００２４】
しかし、引き抜き機本体５と連結ホルダ４１との連結は上記の手段に何ら限定されるものではない。
【００２５】
ところで、本発明では前記の連結ねじ４０に大きな特徴を有している。
【００２６】
すなわち、前記連結ねじ４０には、ねじ基端面に開口４４が設けられ、該開口４４から連結ねじ４０の軸方向へ向かって延出する中空部４５が設けられている。
【００２７】
さらに、該中空部４５とねじ外周側面側開口部４６とを連通する挿通孔４７も設けられている（図５、図６参照）。
【００２８】
そして、図３および図４から理解されるように、当該連結ねじ４０を残置ケーブル４の先端部端面にねじ込み、あるいは打ち込んだ後に、これら連結ねじ４０が残置ケーブル４の先端部端面から引き抜けないよう、ねじ基端面の開口４４から中空部４５に向かって接着剤が注入される。
【００２９】
すると、注入された接着剤は前記中空部４５および挿通孔４７を通り、ねじ外周側面側開口部４６から、残置ケーブル４と連結ねじ４０との間に排出され、両者を強固に接着するものとなる。
【００３０】
しかして、両者が強固に接着された後、前記引き抜き機本体５を作動させ、残置ケーブル４を管路端面３３から引き出す。
【００３１】
そして、管路端面３３から残置ケーブル４の先端部を掴める程度まで引き出した後、前記引き抜き杆４３と連結ホルダ４１との接続をはずし、該引き抜き杆４３に残置ケーブル先端部把持用の第１把持具６を取り付けることとなる（図２参照）。
【００３２】
ここで、交換して取り付ける第１把持具６の構成につき説明する。
図２などから理解されるように、第１把持具６は、略方形枠状に形成された把持部本体１５と該把持部本体１５内に挿入される残置ケーブル先端部を上方より押圧して挟みこむ挟持片１６とにより形成されている。
【００３３】
例えば、この挟持片１６は油圧シリンダ等で構成され、把持部本体１５内に挿入された残置ケーブル４先端部を上方より強固にプレスし、保持部本体１５の底面と共に前記残置ケーブル先端部を上下方向から挟持するものとしてある。
【００３４】
尚、把持部本体１５の後端側には第１把持具６を、引き抜き杆４３を介してマンホール１の前方方向へ引っ張る第１引張体７が連結されている。
【００３５】
そして、当該第１引張体７の後部は、第２把持具８の方形枠体状をなす把持部本体１８の内部に挿入され、上方に設けられた挟持片１９が下方へスライドし、該挟持片１９と把持部本体１８とにより上下から挟んで挟持される構成となっており、その状態から、第１引張体７を水平方向へ引っ張る構成となっている。
【００３６】
なお、前記の引き抜き機本体５は、第１把持具６と、該第１把持具６を略水平方向、すなわち残置ケーブル４の軸方向へ引っ張る第１引張体７と、この第１引張体７の後端部を把持する第２把持具８と、該第２把持具８を略水平方向、すなわち残置ケーブル４の軸方向へ引っ張る機能を有する第２引張体９とを有して構成されている。
【００３７】
また、符号１０はマンホール１内で突っ張り配置された複数本の突っ張り杆を示し、前記引き抜き機本体５はこの複数の突っ張り杆１０でマンホール１内に組み立て設置可能とされている。
【００３８】
当該複数本の突っ張り杆１０はマンホール１内において、そのマンホール１の長手方向に向かって水平行方向へ一対配される突っ張りパイプ１１，１１と、この突っ張りパイプ１１，１１を短手方向から保持する複数本の補助保持パイプ１２を有して構成されている。
【００３９】
前記突っ張りパイプ１１，１１は、所定の間隔を有して連結バー１３、１３により接続され、その保持強度の向上が図られている。
【００４０】
ここで、突っ張りパイプ１１の設置方法は、突っ張りパイプ１１の後端部に設けられた突出具１４の進退操作によって行われる。
【００４１】
例えば、該突出具１４は突っ張りパイプ１１内の雌ねじ部へ進退可能な雄ねじを有して構成され、該突出具１４の雄ねじを突っ張りパイプの後端部に設けられた雌ねじ穴にねじ込むことにより進退の長さ調整可能となっているのである。
【００４２】
そして、マンホール１内の対向する側壁２，２間において、前記突出具１４を軸方向へ伸張させることにより、前記突っ張りパイプ１１、１１をマンホール１内において強固に設置できるのである。
【００４３】
ここで、突っ張り杆１０の設置順序について説明すると、まず一対の突っ張りパイプ１１，１１をマンホール１の長手方向に向かい平行にして配置する。そしてこの突っ張りパイプ１１，１１が離脱しないように突出具１４を回動螺合させて伸張し、マンホール１内に突っ張りパイプ１１に突っ張らせ固定する。
【００４４】
また、前記突っ張りパイプ１１にはその長手方向両端側において、突っ張りパイプ１１と略直角方向に伸びる補助保持パイプ１２が取り付けられており、該補助保持パイプ１２の後端部にも雌ねじ穴に螺合された突出具１４が設けられている。
【００４５】
この突出具１４を回動させることにより、マンホール１の短手方向に対しても前記突っ張り杆１０を保持固定出来ように構成されている。
【００４６】
なお、一対の突っ張りパイプ１１，１１の内部軸方向においても各々駆動シリンダ２０，２０が内設されており、この一対の駆動シリンダ２０，２０の後部は連結杆２１により連結されている。
【００４７】
そして、この連結された連結杆２１はマンホール１の長手方向に向かい、前記駆動シリンダ２０，２０の揺動により同様に揺動する。しかして、第２把持具８はこの連結杆２１に固定されるものとなる。
【００４８】
以上において、本発明による引き抜き装置３６の使用状態につき説明する。
【００４９】
図から理解されるように、残置ケーブル４の先端部端面には連結ねじ４０および連結ホルダ４１を介して引き抜き杆４３に連結され、残置ケーブル４の先端部がマンホール１内で把持できる程度まで引っ張り出される。
【００５０】
ついで、引き抜き杆４３から連結ホルダ４１をはずした後、引き抜き杆４３に第１把持具６を取り付ける。
【００５１】
しかして、残置ケーブル４の先端部は、この第１把持具６により挟持される。第１把持具６は引き抜き杆４３、第１引張体７、第２把持具８、第２引張体９と連結されるものとなり、第２把持具８は前述のように連結杆２１に取り付けられており、もって第１把持具６、引き抜き杆４３、第１引張体７、第２把持具８は第２引張体９（一対の駆動シリンダ２０，２０）によりマンホール１の長手方向に揺動可能とされている。
【００５２】
まず、残置ケーブル４の先端部を第１把持具６により上下に押圧して挟持する。その状態から、第１引張体７である第１駆動シリンダを駆動させ、マンホール１の長手方向後側へ引っ張る。
【００５３】
前記第１駆動シリンダで構成される第１引張体７では約１５０ストロークほど引っ張ることが出来、これにより残置ケーブル４を管路３壁面から縁切りすることが出来る。
【００５４】
ついで、第２駆動シリンダ（一対の駆動シリンダ２０、２０）で構成された第２引張体９を駆動させ、さらにマンホール１の長手方向後側へ約４００ストロークほど引っ張ることが出来る。
【００５５】
すなわち、残置ケーブル４は第１引張体により約１５０ストロークほど、第２引張体により約４００ストロークほど引っ張られる。
【００５６】
従って、管路３の途中で残置させることなく残置ケーブル４をスムーズに引き抜くことができる。
【００５７】
さらに管路３内に残置ケーブル４が存在するときには、第１把持具６と第１引張体７とをはずして、引き抜いた残置ケーブル４を第２把持具８の中に挿通させる。そして、第２把持具８で挟み込み、第２引張体９を駆動して引っ張る。
【００５８】
第２引張体９で引っ張れるストロークまで引っ張った後は、前記第２把持具８での挟み込みを止めて拡開する。
【００５９】
そして、第２引張体９を揺動して初期の状態に戻し、そこで第２把持具８で再び残置ケーブル４を挟み、第２引張体９を駆動して引っ張るのである。
【００６０】
しかして、この一連の操作を連続して行うことも出来る。
【図面の簡単な説明】
【００６１】
【図１】本発明の概略構成を説明する概略構成説明図である。
【図２】本発明が適用された引き抜き装置の構成を説明する説明図である。
【図３】本発明による連結ねじの構成を示す説明図（その１）である。
【図４】本発明による連結ねじの構成を示す説明図（その２）である。
【図５】本発明による連結ねじの構成を示す説明図（その３）である。
【図６】本発明による連結ねじの構成を示す説明図（その４）である。
【図７】本発明による連結構造を説明する説明図である。
【図８】従来例を説明する説明図である。
【符号の説明】
【００６２】
１ マンホール
２ 側壁
３ 管路
４ 残置ケーブル
５ 引き抜き機本体
６ 第１把持具
７ 第１引張体
８ 第２把持具
９ 第２引張体
１０ 突っ張り杆
１１ 突っ張りパイプ
１２ 補助突っ張りパイプ
１３ 連結バー
１４ 突出具
１５ 把持部本体
１６ 挟持片
１８ 把持部本体 
１９ 挟持片 
２１ 連結杆
３３ 管路端面
３６ 引き抜き装置
４０ 連結ねじ
４１ 連結ホルダ
４２ 雌ねじ
４３ 引き抜き杆
４４ ねじ基端面の開口
４５ 中空部
４６ ねじ外周側面
４７ 挿通孔 
４９ ナット 
５０ 引き抜き杆側ホルダ
５１ 取り付け孔
【図１】
0004548665.tif 000002
【図２】
0004548665.tif 000003
【図３】
0004548665.tif 000004
【図４】
0004548665.tif 000005
【図５】
0004548665.tif 000006
【図６】
0004548665.tif 000007
【図７】
0004548665.tif 000008
【図８】
0004548665.tif 000009